(57)【要約】【課題】防災放送だけでなく犯罪情報の正確、早期の放送、犯罪人追跡を可能とする。【解決手段】防犯機能を有する防災行政無線システムに、防災放送の吹鳴に加え、住宅への人間の侵入情報を受信した時にサイレン音、警戒音声を吹鳴し、侵入された住宅の方向に監視カメラ２０３を向け、ズームを調整し撮影し撮影された画像を保存させる防災デジタル屋外拡声装置１０３Ａ、１０３Ｂ、１０３Ｃと、前記防災デジタル屋外拡声装置から防災放送が届く放送範囲エリアの複数の住宅の各々に存在し、前記防災デジタル屋外拡声装置から前記防災放送を受信し、受信した防災放送の再生に加え、住宅への人間の侵入を検出した時にサイレン音、警戒音声を再生し、前記防災デジタル屋外拡声装置に住宅への人間の侵入情報を送信する複数の防災デジタル戸別通信装置３０４Ａ、３０５Ａ、３０６Ａとを備える。【選択図】図３
2008287532.tif 000002
【特許請求の範囲】
【請求項１】
防犯機能を有する防災行政無線システムにおいて、
防災放送の吹鳴に加え、住宅への人間の侵入情報を受信した時にサイレン音、警戒音声を吹鳴し、侵入された住宅の方向に監視カメラを向け、ズームを調整し撮影し撮影された画像を保存させる防災デジタル屋外拡声装置と、
前記防災デジタル屋外拡声装置から防災放送が届く放送範囲エリアの複数の住宅の各々に存在し、前記防災デジタル屋外拡声装置から前記防災放送を受信し、受信した防災放送の再生に加え、住宅への人間の侵入を検出した時にサイレン音、警戒音声を再生し、前記防災デジタル屋外拡声装置に住宅への人間の侵入情報を送信する複数の防災デジタル戸別通信装置とを備えることを特徴とする防犯機能を有する防災行政無線システム。
【請求項２】
住宅への人間の侵入があった場合に、複数の前記放送範囲エリアからなる地区エリアにある全防災デジタル屋外拡声装置、全防災デジタル戸別通信装置からサイレン音、警戒音声をそれぞれ吹鳴し、再生することを特徴とする、請求項１に記載の防犯機能を有する防災行政無線システム。
【請求項３】
住宅への人間の侵入があった場合に、複数の前記地区エリアにある全防災デジタル屋外拡声装置、全防災デジタル戸別通信装置からサイレン音、警戒音声をそれぞれ吹鳴し、再生することを特徴とする、請求項２に記載の防犯機能を有する防災行政無線システム。
【請求項４】
住宅への人間の侵入情報を受信した時にサイレン音、警戒音声を吹鳴する前記防災デジタル屋外拡声装置が属する同一地区エリア内の他の防災デジタル屋外拡声装置の各々の監視カメラを侵入された住宅の方向の道路に向けることを特徴とする、請求項１に記載の防犯機能を有する防災行政無線システム。
【請求項５】
前記防災デジタル屋外拡声装置と複数の前記防災デジタル戸別通信装置との間は無線ＬＡＮで通信が行われ、無線ＬＡＮを有したパーソナルコンピュータは、ネットワークに入れるように、ＩＰアドレス、セキュリティを設定することにより、無線ＬＡＮが届く範囲では、前記監視カメラで撮像された画像の表示を行うことを特徴とする、請求項１に記載の防犯機能を有する防災行政無線システム。
【請求項６】
防災行政無線システムの防犯方法において、
防災放送の吹鳴を行う防災デジタル屋外拡声装置で住宅への人間の侵入情報を受信した時にサイレン音、警戒音声を吹鳴し、侵入された住宅の方向に監視カメラを向け、ズームを調整し撮影し撮影された画像を保存させる工程と、
前記防災デジタル屋外拡声装置から防災放送が届く放送範囲エリア内の複数の住宅の各々に存在し、前記防災デジタル屋外拡声装置から前記防災放送を受信し、受信した防災放送の再生する防災デジタル戸別通信装置では住宅への人間の侵入を検出した時にサイレン音、警戒音声を再生し、前記防災デジタル屋外拡声装置に住宅への人間の侵入情報を送信する工程とを備えることを特徴とする防災行政無線システムの防犯方法。
【請求項７】
防災行政無線システムの防犯プログラムにおいて、
防災放送の吹鳴を行う防災デジタル屋外拡声装置で住宅への人間の侵入情報を受信した時にサイレン音、警戒音声を吹鳴し、侵入された住宅の方向に監視カメラを向け、ズームを調整し撮影し撮影された画像を保存させる手順と、
前記防災デジタル屋外拡声装置から防災放送が届く放送範囲エリア内の複数の住宅の各々に存在し、前記防災デジタル屋外拡声装置から前記防災放送を受信し、受信した防災放送の再生する防災デジタル戸別通信装置では住宅への人間の侵入を検出した時にサイレン音、警戒音声を再生し、前記防災デジタル屋外拡声装置に住宅への人間の侵入情報を送信する手順とを備えることを特徴とする防災行政無線システムの防犯プログラム。
【請求項８】
防犯機能を有する防災行政無線システムの防災デジタル屋外拡声装置において、
前記防災デジタル屋外拡声装置から防災放送が届く放送範囲エリアの複数の住宅の各々に存在する防災デジタル戸別通信装置から受信した情報から住宅への人間の侵入有無を判断する住宅侵入有無判断部と、
防災無線基地局から受信した防災放送の吹鳴に加え、前記住宅侵入有無判断部により住宅への人間の侵入と判断された場合にサイレン音、警戒音声を吹鳴するトランペットスピーカと、
侵入された住宅の方向に向け、ズームを調整し撮影を行い、前記防災無線基地局に撮影された画像を送信し表示させ保存させる監視カメラと、
前記監視カメラから複数の住宅の各々に向ける方向、ズームをカメラ駆動データとして保存するカメラ駆動データ保存部と、
前記トランペットスピーカで吹鳴されるサイレン音、警戒音声を保存し複数の前記防災デジタル戸別通信装置にサイレン音、警戒音声を再生させる通報データ保存部とを備えることを特徴とする、防犯機能を有する防災行政無線システムの防災デジタル屋外拡声装置。
【請求項９】
前記防災無線基地局にデータ設定部が設けられ、前記データ設定部は、前記カメラ駆動データ保存部に対して前記監視カメラから複数の住宅の各々に向ける方向、ズームをカメラ駆動データとして設定し前記通報データ保存部に対してサイレン音、警戒音声を設定することを特徴とする、請求項８に記載の防犯機能を有する防災行政無線システムの防災デジタル屋外拡声装置。
【請求項１０】
住宅への人間の侵入があった場合に、複数の前記放送範囲エリアからなる地区エリアにある全防災デジタル屋外拡声装置の前記トランペットスピーカからサイレン音、警戒音声をそれぞれ吹鳴し、全防災デジタル戸別通信装置からサイレン音、警戒音声を再生させることを特徴とする、請求項８に記載の防犯機能を有する防災行政無線システムの防災デジタル屋外拡声装置。
【請求項１１】
住宅への人間の侵入があった場合に、複数の前記地区エリアにある全防災デジタル屋外拡声装置の前記トランペットスピーカからサイレン音、警戒音声を吹鳴し、全防災デジタル戸別通信装置からサイレン音、警戒音声を再生させることを特徴とする、請求項８に記載の防犯機能を有する防災行政無線システムの防災デジタル屋外拡声装置。
【請求項１２】
住宅への人間の侵入情報を受信した時にサイレン音、警戒音声を吹鳴する前記防災デジタル屋外拡声装置が属する同一地区エリア内の他の防災デジタル屋外拡声装置の各々の監視カメラを侵入された住宅の方向の道路に向けることを特徴とする、請求項８に記載の防犯機能を有する防災行政無線システムの防災デジタル屋外拡声装置。
【請求項１３】
前記防災デジタル屋外拡声装置と複数の前記防災デジタル戸別通信装置との間は無線ＬＡＮで通信が行われ、無線ＬＡＮを有したパーソナルコンピュータは、ネットワークに入れるように、ＩＰアドレス、セキュリティを設定することにより、無線ＬＡＮが届く範囲では、前記監視カメラで撮像された画像の表示を行うことを特徴とする、請求項８に記載の防犯機能を有する防災行政無線システムの防災デジタル屋外拡声装置。
【請求項１４】
前記カメラ駆動データ保存部、前記通報データ保存部を前記防災無線基地局に設け、前記住宅侵入有無判断部により住宅への人間の侵入と判断された場合に前記トランペットスピーカは、前記通報データ保存部から受信したサイレン音、警戒音声を吹鳴し、前記監視カメラは、前記カメラ駆動データ保存部から侵入された住宅に対して受信した方向、ズームの調整を行い、撮影を行うことを特徴とする、請求項８に記載の防犯機能を有する防災行政無線システムの防災デジタル屋外拡声装置。
【発明の詳細な説明】
【技術分野】
【０００１】
本発明は防災デジタル戸別通信装置と防災デジタル屋外拡声装置に防災放送を行う防災行政無線システムに関する。特に、本発明は、防犯機能を有する防災行政無線システムに関する。
【背景技術】
【０００２】
本発明の前提となる防災行政無線システムには、一例として、各住宅内に防災デジタル戸別受信装置が設けられ、防災デジタル戸別受信装置は、各住宅内の住人に対して、市町村の役場にある親局から火災、地震、津波、洪水を含む災害発生時に防災放送を聞かせる機能を有する。さらに、防災行政無線システムは、迷子、徘徊する認知症の老人を捜す協力を求めるのにも利用される。
【０００３】
さらに、他の例として、防災行政無線システムには、防災デジタル屋外拡声装置が設けられ、防災デジタル屋外拡声装置は、各住宅内の住人、屋外の人に対して、市町村の役場にある親局から、火災、地震、津波、洪水を含む災害発生時に防災放送を聞かせる機能を有する。さらに、防災行政無線システムは迷子、徘徊する認知症の老人を捜す協力を求めるのにも利用される。
【０００４】
なお、防災デジタル屋外拡声装置にはハンドセットが設置されている場合があり、ハンドセットの操作により、防災デジタル屋外拡声装置の周囲の各住宅の住人、屋外の人に対して、親局を介さずに、直接に防災放送を聞かせることが可能である。
さらに、防災行政無線システムには、上述の防災デジタル戸別受信装置、防災デジタル屋外拡声装置の双方の機能を有し、各住宅内の住人、屋外の人に確実に防災放送を聞かせようとするものもある。
【０００５】
ところで、近年、犯罪が多発化しているため、防災行政無線システムに対して防犯機能を持たせ、防災行政無線システムの有効活用を図るべきという課題がある。すなわち、留守時又は在宅時に家に強盗を含む犯罪人が侵入した場合には、侵入された家の周辺の住人に知らせ、犯罪による危険を回避させ、犯罪人の取り押さえに協力を求め、又は現行犯の証拠を確保し逃走した犯罪人を追跡可能にし、犯罪の発生を防止することが求められる。
【０００６】
上述の防災行政無線システムにおける防災デジタル個別受信装置、防災デジタル屋外拡声装置は、それぞれ、単独で親局から防災放送を聞かせる機能を主としている。このため、犯罪発生時には電話等で親局に連絡して親局から防災デジタル戸別受信装置、防災デジタル屋外拡声装置を介して犯罪の発生を放送することは可能であるが、犯罪の情報が正確に且つ早期に放送されないと、周辺の住人に対して犯罪の危険回避ができず、犯罪人の取り押さえの協力が十分に得られないという問題がある。
【０００７】
さらに、犯罪人に対する情報が得られないまま、犯罪人が逃走した場合には、犯罪人の追跡が不可能となり、犯罪の発生の放送だけでは不十分であるという問題がある。
防災デジタル屋外拡声装置のハンドセットを操作して、犯罪の発生を見た人が犯罪の発生を放送し周辺の住人により正確にかつ早期に知らせることが可能であるが、上述のハンドセットの操作方法を知らない場合には周辺の住人に知らせることができないという問題がある。
【０００８】
このような本発明の前提となる技術、課題、問題に関連して以下のような従来技術がある。
従来、地域住民が協力し合って防犯および防火活動を行うシステムを提供するため、ホームセキュリティシステム、センターシステム、防火行政無線システムならびにこれらのシステム間を接続する通信ネットワークから成り、ホームセキュリティシステムで検知した異常をセンターシステムに伝達して、音声通報メッセージに変換した後、防災行政無線システムで放送するように構成することによって、近隣の住民が早期に異常の発生を知るとともに、防犯および防火活動を行うことができるシステムがある（例えば、特許文献１参照）。
【０００９】
しかしながら、上記特許文献１では、ホームセキュリティシステムで検知した異常をセンターシステムに伝達して、音声通報メッセージに変換した後、防災行政無線システムで放送するが、犯罪人に対する情報が得られないまま、犯罪人が逃走した場合には、犯罪人の追跡が不可能となり、犯罪の発生の放送だけでは不十分であるという問題があり、さらに、ホームセキュリティシステムが構築されていない場合には防災行政無線システムからの放送自体が不可能であるという問題がある。
【００１０】
また、従来、市町村防災無線固定系システムを利用して、一般公衆回線を使用する必要のない地域防災緊急通報システムを提供するため、親局装置と、親局装置が送出する放送信号を放送する屋外拡声装置と、親局装置が送出する信号を受信する個別受信機と、地域住民が緊急通報を要求する接点入力機（又は無線送信機）とを含む市町村防災無線システムにおいて、屋外拡声装置は、接点入力機等と接続され、屋外拡声装置は、接点入力機等に入力された地域住民の要求に基いて、親局装置に放送信号の送出を要求するようにしているものもある（例えば、特許文献２参照）。
【００１１】
しかしながら、上記特許文献２では、屋外拡声装置は、接点入力機等に入力された地域住民の要求に基いて、親局装置に放送信号の送出を要求するが、犯罪人に対する情報が得られないまま、犯罪人が逃走した場合には、犯罪人の追跡が不可能となり、犯罪の発生の放送だけでは不十分であるという問題があり、さらに、地域住民が留守で地域住民の要求に基く接点入力機等に入力されない場合には親局装置に放送信号の送出を要求できないという問題がある。
【００１２】
また、従来、監視カメラ付き子局を備えた防災無線システムにおいて、子局が監視現場に異常の発生を感知した場合のみ親局に伝送することによって、低消費電力化を図るため、上記子局に監視現場で異常発生を感知できる画像処理部、あるいはセンサを設けることにより、監視カメラの画像伝送は親局からのユーザ操作や定期的に要求信号を子局に送って行うのではなく、画像処理部、センサで異常発生を感知した場合に、子局自身が監視カメラで撮影を行い、画像データを伝送して親局モニタにて報知するようにするものもある（例えば、特許文献３参照）。
【００１３】
しかしながら、上記特許文献３では、子局が監視現場に地震、土砂崩れ、火山噴火などの異常の発生を感知した場合のみ親局に画像データを伝送するが、防犯機能を持たせるものではない。
【００１４】
【特許文献１】実案第３１０５３３１号公報
【特許文献２】特開２０００−１０１５２６号公報
【特許文献３】特開２００３−３０８５８１号公報
【発明の開示】
【発明が解決しようとする課題】
【００１５】
したがって、本発明は上記問題点に鑑みて、犯罪の情報が正確に且つ早期に放送され、犯罪人の追跡を可能とする、防犯機能を有する防災行政無線システムを提供することを目的とする。
【課題を解決するための手段】
【００１６】
本発明は前記問題点を解決するために、防犯機能を有する防災行政無線システムにおいて、防災放送の吹鳴に加え、住宅への人間の侵入情報を受信した時にサイレン音、警戒音声を吹鳴し、侵入された住宅の方向に監視カメラを向け、ズームを調整し撮影し撮影された画像を保存させる防災デジタル屋外拡声装置と、前記防災デジタル屋外拡声装置から防災放送が届く放送範囲エリアの複数の住宅の各々に存在し、前記防災デジタル屋外拡声装置から前記防災放送を受信し、受信した防災放送の再生に加え、住宅への人間の侵入を検出した時にサイレン音、警戒音声を再生し、前記防災デジタル屋外拡声装置に住宅への人間の侵入情報を送信する複数の防災デジタル戸別通信装置とを備えることを特徴とする防犯機能を有する防災行政無線システムを提供する。
【００１７】
また、住宅への人間の侵入があった場合に、複数の前記放送範囲エリアからなる地区エリアにある全防災デジタル屋外拡声装置、全防災デジタル戸別通信装置からサイレン音、警戒音声をそれぞれ吹鳴し、再生する。
また、住宅への人間の侵入があった場合に、複数の前記地区エリアにある全防災デジタル屋外拡声装置、全防災デジタル戸別通信装置からサイレン音、警戒音声をそれぞれ吹鳴し、再生する。
【００１８】
また、住宅への人間の侵入情報を受信した時にサイレン音、警戒音声を吹鳴する前記防災デジタル屋外拡声装置が属する同一地区エリア内の他の防災デジタル屋外拡声装置の各々の監視カメラを侵入された住宅の方向の道路に向ける。
また、前記防災デジタル屋外拡声装置と複数の前記防災デジタル戸別通信装置との間は無線ＬＡＮで通信が行われ、無線ＬＡＮを有したパーソナルコンピュータは、ネットワークに入れるように、ＩＰアドレス、セキュリティを設定することにより、無線ＬＡＮが届く範囲では、前記監視カメラで撮像された画像の表示を行う。
【００１９】
また、本発明は、防災行政無線システムの防犯方法において、防災放送の吹鳴を行う防災デジタル屋外拡声装置で住宅への人間の侵入情報を受信した時にサイレン音、警戒音声を吹鳴し、侵入された住宅の方向に監視カメラを向け、ズームを調整し撮影し撮影された画像を保存させる工程と、前記防災デジタル屋外拡声装置から防災放送が届く放送範囲エリア内の複数の住宅の各々に存在し、前記防災デジタル屋外拡声装置から前記防災放送を受信し、受信した防災放送の再生する防災デジタル戸別通信装置では住宅への人間の侵入を検出した時にサイレン音、警戒音声を再生し、前記防災デジタル屋外拡声装置に住宅への人間の侵入情報を送信する工程とを備えることを特徴とする防災行政無線システムの防犯方法を提供する。
【００２０】
また、本発明は、防災行政無線システムの防犯プログラムにおいて、防災放送の吹鳴を行う防災デジタル屋外拡声装置で住宅への人間の侵入情報を受信した時にサイレン音、警戒音声を吹鳴し、侵入された住宅の方向に監視カメラを向け、ズームを調整し撮影し撮影された画像を保存させる手順と、前記防災デジタル屋外拡声装置から防災放送が届く放送範囲エリア内の複数の住宅の各々に存在し、前記防災デジタル屋外拡声装置から前記防災放送を受信し、受信した防災放送の再生する防災デジタル戸別通信装置では住宅への人間の侵入を検出した時にサイレン音、警戒音声を再生し、前記防災デジタル屋外拡声装置に住宅への人間の侵入情報を送信する手順とを備えることを特徴とする防災行政無線システムの防犯プログラムを提供する。
【００２１】
また、本発明は、防犯機能を有する防災行政無線システムの防災デジタル屋外拡声装置において、前記防災デジタル屋外拡声装置から防災放送が届く放送範囲エリアの複数の住宅の各々に存在する防災デジタル戸別通信装置から受信した情報から住宅への人間の侵入有無を判断する住宅侵入有無判断部と、防災無線基地局から受信した防災放送の吹鳴に加え、前記住宅侵入有無判断部により住宅への人間の侵入と判断された場合にサイレン音、警戒音声を吹鳴するトランペットスピーカと、侵入された住宅の方向に向け、ズームを調整し撮影を行い、前記防災無線基地局に撮影された画像を送信し表示させ保存させる監視カメラと、前記監視カメラから複数の住宅の各々に向ける方向、ズームをカメラ駆動データとして保存するカメラ駆動データ保存部と、前記トランペットスピーカで吹鳴されるサイレン音、警戒音声を保存し複数の前記防災デジタル戸別通信装置にサイレン音、警戒音声を再生させる通報データ保存部とを備えることを特徴とする、防犯機能を有する防災行政無線システムの防災デジタル屋外拡声装置を提供する。
【００２２】
また、前記防災無線基地局にデータ設定部が設けられ、前記データ設定部は、前記カメラ駆動データ保存部に対して前記監視カメラから複数の住宅の各々に向ける方向、ズームをカメラ駆動データとして設定し前記通報データ保存部に対してサイレン音、警戒音声を設定する。
また、住宅への人間の侵入があった場合に、複数の前記放送範囲エリアからなる地区エリアにある全防災デジタル屋外拡声装置の前記トランペットスピーカからサイレン音、警戒音声をそれぞれ吹鳴し、全防災デジタル戸別通信装置からサイレン音、警戒音声を再生させる。
【００２３】
また、住宅への人間の侵入があった場合に、複数の前記地区エリアにある全防災デジタル屋外拡声装置の前記トランペットスピーカからサイレン音、警戒音声を吹鳴し、全防災デジタル戸別通信装置からサイレン音、警戒音声を再生させる。
また、住宅への人間の侵入情報を受信した時にサイレン音、警戒音声を吹鳴する前記防災デジタル屋外拡声装置が属する同一地区エリア内の他の防災デジタル屋外拡声装置の各々の監視カメラを侵入された住宅の方向の道路に向ける。
【００２４】
また、前記防災デジタル屋外拡声装置と複数の前記防災デジタル戸別通信装置との間は無線ＬＡＮで通信が行われ、無線ＬＡＮを有したパーソナルコンピュータは、ネットワークに入れるように、ＩＰアドレス、セキュリティを設定することにより、無線ＬＡＮが届く範囲では、前記監視カメラで撮像された画像の表示を行う。
また、前記カメラ駆動データ保存部、前記通報データ保存部を前記防災無線基地局に設け、前記住宅侵入有無判断部により住宅への人間の侵入と判断された場合に前記トランペットスピーカは、前記通報データ保存部から受信したサイレン音、警戒音声を吹鳴し、前記監視カメラは、前記カメラ駆動データ保存部から侵入された住宅に対して受信した方向、ズームの調整を行い、撮影を行う。
【発明の効果】
【００２５】
以上説明したように、本発明によれば、防災放送の吹鳴を行う防災デジタル屋外拡声装置で住宅への人間の侵入情報を受信した時にサイレン音、警戒音声を吹鳴し、侵入された住宅の方向に監視カメラを向け、ズームを調整し撮影し撮影された画像を保存させ、警戒音声防災デジタル屋外拡声装置から防災放送が届く放送範囲エリア内の複数の住宅の各々に存在し、警戒音声防災デジタル屋外拡声装置から警戒音声防災放送を受信し、受信した防災放送の再生する防災デジタル戸別通信装置では住宅への人間の侵入を検出した時にサイレン音、警戒音声を再生し、防災デジタル屋外拡声装置に住宅への人間の侵入情報を送信するようにしたので、市町村は、正確に且つ早期に注意を促すことができ、犯人に対して迅速な対応が可能になる。住宅に侵入した人間は、うまく逃走したとしても、侵入時に監視カメラで侵入の様子が撮影され、周囲の人に注意して見られ、犯人の追跡が可能になる。
【発明を実施するための最良の形態】
【００２６】
以下、本発明の実施の形態について図面を参照して説明する。
図１は本発明に係る防災行政無線システムのネットワークの概略を示す構成図である。なお、全図を通じて、同一の番号、符号は同一の構成要素を表すとする。本図に示す防災行政無線システム１００はコンピュータプログラムで動作し、市町村の役場により運営され、防災行政無線システム１００には防災無線基地局１０１が設けられ、防災無線基地局１０１は役場に設けられる親局であり、市町村が行政を行う親局エリア１０２をＡ地区、Ｂ地区、Ｃ地区、…のように複数の地区に分け、それぞれを地区エリア１０２Ａ、１０２Ｂ、１０２Ｃ、…とし、地区エリア１０２Ａ、１０２Ｂ、１０２Ｃ、…の各々には複数の防災デジタル屋外拡声装置１０３Ａ、１０３Ｂ、１０３Ｃ、…がそれぞれ設けられる。
防災無線基地局１０１は地区エリア１０２Ａ、１０２Ｂ、１０２Ｃ、…の各単位に対して、防災デジタル屋外拡声装置１０３Ａ、１０３Ｂ、１０３Ｃ、…の各々から防災放送を行わせる。
【００２７】
図２は図１における地区エリア１０２Ａを拡大した例の構成図である。本図に示すように、一例として、地区エリア１０２Ａには、音声範囲エリア１０２Ａ−１、１０２Ａ−２、１０２Ａ−３、…が設けられ、放送範囲エリア１０２Ａ−１、１０２Ａ−２、１０２Ａ−３、…の各々は防災デジタル屋外拡声装置１０３Ａ−１、１０３Ａ−２、１０３Ａ−３、…の各々からの放送音が届く範囲のエリアであり、放送範囲エリア１０２Ａ−１、１０２Ａ−２、１０２Ａ−３、…の各々には複数の住宅１０４Ａ−１、１０４Ａ−２、１０４Ａ−３、…、１０５Ａ−１、１０５Ａ−２、１０５Ａ−３、…、１０６Ａ−１、１０６Ａ−２、１０４６−３、…が存在する。
【００２８】
防災デジタル屋外拡声装置１０３Ａ−１、１０３Ａ−２、１０３Ａ−３、…の各々は、放送範囲エリア１０２Ａ−１、１０２Ａ−２、１０２Ａ−３、…の各々内に存在する複数の住宅１０４Ａ−１、１０４Ａ−２、１０４Ａ−３、…、１０５Ａ−１、１０５Ａ−２、１０５Ａ−３、…、１０６Ａ−１、１０６Ａ−２、１０６Ａ−３、…の各々に対して放送を行う。
【００２９】
さらに、複数の住宅１０４Ａ−１、１０４Ａ−２、１０４Ａ−３、…、１０５Ａ−１、１０５Ａ−２、１０５Ａ−３、…、１０６Ａ−１、１０６Ａ−２、１０６Ａ−３、…の各々には、後述するように、防災デジタル戸別通信装置３０４Ａ−１、３０４Ａ−２、３０４Ａ−３、…、３０５Ａ−１、３０５Ａ−２、３０５Ａ−３、…、３０６Ａ−１、３０６Ａ−２、３０６Ａ−３、…が設けられる。
【００３０】
図３は図２における複数の防災デジタル屋外拡声装置１０３Ａ−１、１０３Ａ−２、１０３Ａ−３、…の各々の概略構成を示す図である。本図（ａ）に示すように、一例として、複数の防災デジタル屋外拡声装置１０３Ａ−１、１０３Ａ−２、１０３Ａ−３、…の各々には柱２００が設けられ、柱２００にはトランペットスピーカ２０１、アンテナ２０２、監視カメラ２０３、防災デジタル屋外拡声本体２０４が取り付けられる。
【００３１】
本図（ｂ）に示すように、防災デジタル屋外拡声本体２０４には無線ＬＡＮ親装置２０５が内蔵され、スピーカ・カメラ起動部２０６、カメラ駆動データ保存部２０７、通報データ保存部２０８、住宅侵入有無判断部２０９、送受信部２１０が設けられる。
トランペットスピーカ２０１は異常を知らせるサイレン音、登録されている警戒音声を吹鳴し防災放送を行う。
【００３２】
監視カメラ２０３は可動式のカメラであり、周囲の道路、住宅を撮影する。
無線ＬＡＮ親装置２０５は後述する無線ＬＡＮ子アダプタ３１１と無線通信を行い、受信があった無線ＬＡＮ子アダプタ３１１を識別し、送信を行った住宅を特定する。
防災デジタル屋外拡声本体２０４は防災デジタル屋外拡声装置１０３Ａ−１、１０３Ａ−２、１０３Ａ−３、…の各々の全体の制御を行う。
【００３３】
スピーカ・カメラ起動部２０６は外部信号によりトランペットスピーカ２０１、監視カメラ２０３を起動する。
カメラ駆動データ保存部２０７は監視カメラ２０３を所定の方向に駆動するためのデータを保存する。
通報データ保存部２０８はトランペットスピーカ２０１から吹鳴するため、サイレン音と共に警戒音声を含む通報データを保存する。
【００３４】
住宅侵入有無判断部２０９は後述する無線ＬＡＮ子アダプタ３１１との無線通信で得たセンサー３１４の異常反応の情報に基づき住宅侵入有無の判断を行う。
送受信部２１０は、アンテナ２０２を介して、防災無線基地局１０１と送受信を行う。
図４は図２における複数の住宅１０４Ａ−１、１０４Ａ−２、１０４Ａ−３、…、１０５Ａ−１、１０５Ａ−２、１０５Ａ−３、…、１０６Ａ−１、１０６Ａ−２、１０６Ａ−３、…の各々に設けられる防災デジタル戸別通信装置３０４Ａ−１、３０４Ａ−２、３０４Ａ−３、…、３０５Ａ−１、３０５Ａ−２、３０５Ａ−３、…、３０６Ａ−１、３０６Ａ−２、３０６Ａ−３、…の各々の概略構成を示す図である。本図に示すように、一例として、複数の住宅１０４Ａ−１、１０４Ａ−２、１０４Ａ−３、…、１０５Ａ−１、１０５Ａ−２、１０５Ａ−３、…、１０６Ａ−１、１０６Ａ−２、１０６Ａ−３、…の各々に設けられる防災デジタル戸別通信装置３０４Ａ−１、３０４Ａ−２、３０４Ａ−３、…、３０５Ａ−１、３０５Ａ−２、３０５Ａ−３、…、３０６Ａ−１、３０６Ａ−２、３０６Ａ−３、…の各々には、無線ＬＡＮ子アダプタ３１１、スピーカ３１２、防災デジタル戸別通信本体３１３、センサー３１４が設けられ、さらに、防災デジタル戸別通信本体３１３には異常反応判断部３１５が設けられる。センサー３１４を複数箇所に設置することにより、より確実に不審者の侵入を確認することが可能になる。
【００３５】
無線ＬＡＮ子アダプタ３１１は無線ＬＡＮ親装置２０５と無線通信を行い、無線ＬＡＮ親装置２０５から異常を知らせるサイレン音、警戒音声が受信され、異常反応判断部３１５から異常反応判断の情報が送信される。
スピーカ３１２はトランペットスピーカ２０１と同様に異常を知らせるサイレン音、警戒音声を吹鳴し、防災放送を行う。
【００３６】
センサー３１４は赤外線センサー、振動センサーなどで構成され、部屋の入り口、外部から侵入されそうな窓、玄関のドアの付近に位置し、人間の侵入を検出する。
異常反応判断部３１５はセンサー３１４に所定レベル以上の反応があった場合には異常として防災デジタル戸別通信本体３１３に通知する。
防災デジタル戸別通信本体３１３は防災デジタル戸別通信装置３０４Ａ−１、３０４Ａ−２、３０４Ａ−３、…、３０５Ａ−１、３０５Ａ−２、３０５Ａ−３、…、３０６Ａ−１、３０６Ａ−２、３０６Ａ−３、…の各々の全体の制御を行う。
【００３７】
図５は図１における防災無線基地局１０１の概略構成を示すブロック図である。本図に示すように、防災無線基地局１０１には送受信部４０１が設けられ、送受信部４０１は、複数の防災デジタル屋外拡声装置１０３Ａ、１０３Ｂ、１０３Ｃ、…の各々に対して、防災放送を送信し、複数の防災デジタル屋外拡声装置１０３Ａ、１０３Ｂ、１０３Ｃ、…の各々の監視カメラ２０３で撮影された画像データを受信する。
【００３８】
防災無線基地局１０１には表示部４０２が設けられ、表示部４０２は液晶表示部（ＬＣＤ）であり、送受信部４０１で受信した画像等を表示する。
防災無線基地局１０１には画像保持部４０３が設けられ、画像保持部４０３は送受信部４０１で受信した画像を保存する。
防災無線基地局１０１にはデータ設定部４０４が設けられ、データ設定部４０４は複数の防災デジタル屋外拡声装置１０３Ａ、１０３Ｂ、１０３Ｃ、…の各々に対して、図３のカメラ駆動データ保存部２０７、通報データ保存部２０８へのデータ設定を行う。
【００３９】
図６は図３におけるカメラ駆動データ保存部２０７に保存される監視カメラ２０３の駆動方向、ズームを説明する図である。本図に示すように、一例として、カメラ駆動データ保存部２０７には、放送範囲エリア１０２Ａ−１にある住宅１０４Ａ−１、１０４Ａ−２、１０４Ａ−３、…の各々と、防災デジタル屋外拡声装置１０３Ａ−１の監視カメラ２０３との方向として、方位角α、傾斜角β、ズームがカメラ駆動データとして保存される。
【００４０】
図７は図６の方位角α、傾斜角β、ズームを説明する図である。本図（ａ）に示すように、水平平面において、一例として、中心の監視カメラ２０３から住宅１０４Ａ−１、１０４Ａ−２、１０４Ａ−３、…の各々に向く方位角αが測定される。
さらに、本図（ｂ）に示すように、垂直平面において、一例として、中心の監視カメラ２０３から住宅１０４Ａ−１、１０４Ａ−２、１０４Ａ−３、…の各々に向く傾斜角αが測定される。
【００４１】
さらに、本図（ｃ）に示すように、一例として、監視カメラ２０３から住宅１０４Ａ−１、１０４Ａ−２の各々の遠近に対してズームが決定される。
図８は図３における住宅侵入有無判断部２０９の動作を説明する図である。本図に示すように、一例として、防災デジタル屋外拡声装置１０３Ａ−１では、住宅侵入有無判断部２０９は、防災デジタル戸別通信装置３０４Ａ−１、３０４Ａ−２、３０４Ａ−３、…の各々のセンサー３１４の異常反応の有無を保存し、保存した情報に基づき、世帯主甲、乙、丙、…の住宅１０４Ａ−１、１０４Ａ−２、１０４Ａ−３、…の各々に対する不審者の侵入の有無を判断する。
【００４２】
図９は図３における通報データ保存部２０８に保存される警戒音声を説明する図である。本図に示すように、一例として、以下のような警戒音声が通報データ保存部２０８に保存される。
（１）丙さん宅に不審者が侵入しました。
（２）丙さん宅の付近にいる人は危険ですので、不審者に注意してください。
【００４３】
（３）不審者を見た人は役場に連絡してください。
なお、上記では、世帯主丙の住宅１０４−３に不審者が侵入した例であるが、下線部分の世帯主の部分は、図７の住宅侵入有無判断部２０９の動作に基づき、置換可能とする。
図１０は防災行政無線システムの防犯機能の一連の動作例を説明するフローチャートである。本図に示すように、ステップＳ５０１において、防災行政無線システム１００では火災、地震、津波、洪水を含む災害発生時の防災放送があるか否かを判断する。防災放送がある場合にはこれを優先し、本処理を終了する。
【００４４】
ステップＳ５０２において、防災放送が無い場合には、複数の防災デジタル戸別通信装置３０４Ａ、３０５Ａ、３０６Ａの各々における異常反応判断部３１５においてセンサー３１４に異常反応があるか否かを判断する。異常反応がない場合には処理を終了する。
ステップＳ５０３において、異常反応がある場合には、無線ＬＡＮ子アダプタ３１１から該当する無線ＬＡＮ親装置２０５にセンサー３１４の異常反応の情報を送信する。
【００４５】
ステップＳ５０４において、該当するトランペットスピーカ２０１、監視カメラ２０３を起動する。
ステップＳ５０５において、該当する無線ＬＡＮ親装置２０５では、無線ＬＡＮ子アダプタ３１１からの送信を識別し、複数の住宅１０４Ａ、１０５Ａ、１０６Ａ、…から異常反応があった住宅を特定する。
【００４６】
ステップＳ５０６において、監視カメラ２０３を異常反応があった住宅の方向に向け、ズームを設定し、画像の撮影を行う。
ステップＳ５０７において、撮影された画像を防災無線基地局１０１に送信し、保存を行う。
ステップＳ５０８において、複数の防災デジタル屋外拡声装置１０３Ａ、１０３Ｂ、１０３Ｃ、…のうち、該当する住宅が属する地区エリアの防災デジタル屋外拡声装置のトランペットスピーカ２０１から異常を知らせるサイレン音、登録警戒音声を放送する。なお、同一地区だけでなく、親局エリア１０２の全地区エリアの防災デジタル屋外拡声装置のトランペットスピーカ２０１から異常を知らせるサイレン音、登録警戒音声を放送するようにしてもよい。
【００４７】
ステップＳ５０９において、無線ＬＡＮ親装置２０５から同一地区エリアの無線ＬＡＮ子アダプタ３１１へサイレン音、登録警戒音声を送信し、スピーカ３１２で再生を行い、処理を終了する。なお、同一地区エリアだけでなく、親局エリア１０２の全地区エリアの無線ＬＡＮ子アダプタ３１１へサイレン音、登録警戒音声を送信し、スピーカ３１２で再生を行うようにしてもよい。
【００４８】
したがって、本発明によれば、市町村は、同一地区エリアの全ての人に対して又は全地区エリアの全ての人に対して性格に且つ早期に注意を促すことができ、犯人に対して迅速な対応が可能になる。住宅に侵入した人間は、うまく逃走したとしても、侵入時に監視カメラ２０３で侵入の様子が撮影され、周囲の人に注意して見られ、犯人の追跡が可能になる。
【実施例１】
【００４９】
図１１は防災行政無線システムの防犯機能の動作の他の例を説明するフローチャートである。本図に示すように、
ステップＳ５１１において、複数の防災デジタル戸別通信装置３０４Ａ、３０５Ａ、３０６Ａの各々における異常反応判断部３１５においてセンサー３１４に異常反応があるか否かを判断する。異常反応がない場合には処理を終了する。
【００５０】
ステップＳ５１２において、異常反応がある場合には、異常反応のあったセンサー３１４が属する地区エリア内で他の放送範囲エリアの防災デジタル屋外拡声装置の監視カメラ２０３を起動する。
ステップＳ５１３において、異常反応のあった放送範囲エリアの方向の道路に起動した監視カメラ２０３を向け、画像の撮影を行う。
【００５１】
ステップＳ５１４において、画像を防災無線基地局１０１に送信し、保存し、処理を終了する。
したがって、本発明によれば、住宅に侵入した人間は、うまく逃走したとしても、逃走の様子が撮影され、犯人の追跡がより容易になる。
【実施例２】
【００５２】
防災デジタル屋外拡声装置は無線ＬＡＮ親装置を有しているため、無線ＬＡＮを有したパーソナルコンピュータは、ネットワークに入れるように、ＩＰ（Ｉｎｔｅｒｎｅｔ  Ｐｒｏｔｏｃｏｌ）アドレス、セキュリティを設定することにより、無線ＬＡＮが届く範囲では、監視カメラ２０３からの画像を表示することができ、周囲の多くの人が早期に犯人を注意して見ることが可能になるため、犯人の逃走が困難になる。
【実施例３】
【００５３】
図３における防災デジタル屋外拡声装置１０３Ａ、１０３Ｂ、１０３Ｃ、…の各々の防災デジタル屋外拡声本体２０４に設けられるカメラ駆動データ保存部２０７、通報データ保存部２０８、住宅侵入有無判断部２０９を防災無線基地局１０１に設けるようにし、防災デジタル屋外拡声本体２０４は、送受信部２１０を介して、住宅侵入の有無を判断し、カメラ駆動データ、通報データを取り出し、監視カメラ２０３、トランペットスピーカ２０１を制御するようにしてもよい。
【図面の簡単な説明】
【００５４】
【図１】本発明に係る防災行政無線システムのネットワークの概略を示す構成図である。
【図２】図１における地区エリア１０２Ａを拡大した例の構成図である。
【図３】図２における複数の防災デジタル屋外拡声装置１０３Ａ−１、１０３Ａ−２、１０３Ａ−３、…の各々の概略構成を示す図である。
【図４】図２における複数の住宅１０４Ａ−１、１０４Ａ−２、１０４Ａ−３、…、１０５Ａ−１、１０５Ａ−２、１０５Ａ−３、…、１０６Ａ−１、１０６Ａ−２、１０６Ａ−３、…の各々に設けられる防災デジタル戸別通信装置３０４Ａ−１、３０４Ａ−２、３０４Ａ−３、…、３０５Ａ−１、３０５Ａ−２、３０５Ａ−３、…、３０６Ａ−１、３０６Ａ−２、３０６Ａ−３、…の各々の概略構成を示す図である。
【図５】図１における防災無線基地局１０１の概略構成を示すブロック図である。
【図６】図３におけるカメラ駆動データ保存部２０７に保存される監視カメラ２０３の駆動方向、ズームを説明する図である。
【図７】図５の方位角α、傾斜角β、ズームを説明する図である。
【図８】図３における住宅侵入有無判断部２０９の動作を説明する図である。
【図９】図３における通報データ保存部２０８に保存される警戒音声を説明する図である。
【図１０】防災行政無線システムの防犯機能の一連の動作例を説明するフローチャートである。
【図１１】防災行政無線システムの防犯機能の動作の他の例を説明するフローチャートである。
【符号の説明】
【００５５】
１０１…防災無線基地局
１０２…親局エリア
１０２Ａ、１０２Ｂ、１０２Ｃ…地区エリア
１０２Ａ−１、１０２Ａ−２、１０２Ａ−３…放送範囲エリア
１０３Ａ、１０３Ｂ、１０３Ｃ、１０３Ａ−１、１０３Ａ−２、１０３Ａ−３…防災デジタル屋外拡声装置
１０４Ａ、１０５Ａ、１０６Ａ…住宅
２００…柱
２０１…トランペットスピーカ
２０２…アンテナ
２０３…監視カメラ
２０４…防災デジタル屋外拡声本体
２０５…無線ＬＡＮ親装置
２０６…スピーカ・カメラ起動部
２０７…カメラ駆動データ保存部
２０８…通報データ保存部
２０９…住宅侵入有無判断部
２１０…送受信部
３０４Ａ、３０５Ａ、３０６Ａ…防災デジタル戸別通信装置
３１１…無線ＬＡＮ子アダプタ
３１２…スピーカ
３１３…防災デジタル戸別通信本体
３１４…センサー
３１５…異常反応判断部
４０１…送受信部
４０２…表示部
４０３…画像保持部
４０４…データ設定部
【図１】
2008287532.tif 000003
【図２】
2008287532.tif 000004
【図３】
2008287532.tif 000005
【図４】
2008287532.tif 000006
【図５】
2008287532.tif 000007
【図６】
2008287532.tif 000008
【図７】
2008287532.tif 000009
【図８】
2008287532.tif 000010
【図９】
2008287532.tif 000011
【図１０】
2008287532.tif 000012
【図１１】
2008287532.tif 000013